(57)【要約】【課題】  施錠状態において電気的に解錠することなく取手の操作のみで解錠可能とすることができる電気錠の提供。【解決手段】  錠ケース５に進退可能に設けられるラッチボルト６と、ラッチボルト６を後退不能に係止するよう付勢されるストッパー６２，６３と、取手の操作に基づいてラッチボルト６を後退可能なラッチハブ板４１と、アンチパニック機能を働かせるか否かを切り替える第二切替機構２００を備える。第二切替機構２００は、支軸２１４まわりに回動可能で、支軸２１４が錠ケース５に対して上下動可能に保持された解錠部材２０２と、この支軸２１４を上方位置または下方位置に位置決めする第二切替部材２０４とを備え、第二切替部材２０４により支軸２１４が下方位置に配置された状態では、取手４の操作により回動するラッチハブ板４１によって解錠部材２０２が回動してストッパー６２，６３を付勢力に対抗して回動させる。【選択図】      図１８
2008133656.tif 000002
【特許請求の範囲】
【請求項１】
錠ケースに進退可能に設けられるラッチボルトと、
このラッチボルトを突出させた状態で後退規制可能なストッパーと、
取手の操作に基づき回動してラッチボルトを後退可能なラッチハブ板と、
上方位置ではラッチボルトを規制したストッパーを規制解除不能とする一方、下方位置では前記ラッチハブ板により回動してストッパーを規制解除方向へ回動させる解錠部材と
を備えることを特徴とする電気錠。
【請求項２】
錠ケースに進退可能に設けられるラッチボルトと、
錠ケースに枢支されてラッチボルトを突出させた状態で後退不能に係止するよう付勢されるストッパーと、
取手の操作に基づき回動してラッチボルトを後退可能なラッチハブ板と、
支軸まわりに回動可能で、その支軸が錠ケースに対して上下動可能に保持された解錠部材と、
前記支軸を上方位置または下方位置に位置決めする切替部材とを備え、
前記切替部材により前記支軸が上方位置に配置された状態では、ラッチボルトを規制したストッパーを規制解除不能とする一方、
前記切替部材により前記支軸が下方位置に配置された状態では、取手の操作により回動する前記ラッチハブ板によって前記解錠部材が回動して、前記ストッパーを付勢力に対抗して回動させる
ことを特徴とする電気錠。
【請求項３】
前記切替部材は、錠ケースに枢支されており、切替部材の回動が規制されることで前記支軸の位置決めがなされる
ことを特徴とする請求項２に記載の電気錠。
【請求項４】
前記切替部材は、錠ケースに取り付けられるカバーに形成された穴に差し込まれることで回動が規制される
ことを特徴とする請求項３に記載の電気錠。
【請求項５】
ソレノイドにより枢軸まわりに回動し、その枢軸が錠ケースに対して上下動可能に保持されたテコ板と、
このテコ板と前記ストッパーとを連結する第一リンク材と、
前記枢軸を上方位置または下方位置に位置決めする切替機構とをさらに備え、
前記切替機構により前記枢軸が上方位置に配置された状態では、ソレノイドの作動により前記テコ板が前記第一リンク材を介して前記ストッパーを付勢力に対抗して回動させてラッチボルトの後退を可能とする一方、
前記切替機構により前記枢軸が下方位置に配置された状態では、前記テコ板が前記ストッパーを付勢力に対抗して回動させてラッチボルトの後退を可能とし、ソレノイドの作動により前記ストッパーが前記ラッチボルトの後退を規制する
ことを特徴とする請求項１から請求項４までのいずれかに記載の電気錠。
【発明の詳細な説明】
【技術分野】
【０００１】
本発明は、電気的に施錠または解錠することが可能な電気錠に関するものであり、特に施錠状態において電気的に解錠することなく取手の操作のみで解錠および開扉が可能とすることができる電気錠に関するものである。
【背景技術】
【０００２】
従来、ソレノイドを使用して施解錠する電気錠は、通常、閉扉した状態で自動的に施錠される。これにより、施錠し忘れることがなく、防犯性に優れている。
このような電気錠は、ビルの通用口やホテルの客室などで使用されている。
【特許文献１】特開平８−１２０９９０号公報
【発明の開示】
【発明が解決しようとする課題】
【０００３】
しかしながら、例えば、ホテルの客室などでは、防犯性の問題から閉扉すると自動的に施錠されるようにしてあり、施錠された状態において室外側からはキーなどにより解錠する必要があるが、室内側からは解錠操作なしに取手の操作のみで解錠および開扉ができるほうが好ましい。
このような事情から、アンチパニック式の電気錠が提案されている（特許文献１）。
ところが、特許文献１に記載の発明は、異なる構成の錠前には対応できなかった。
【０００４】
本発明が解決しようとする課題は、特許文献１とは異なる構成の錠前であって、施錠状態において電気的に解錠することなく取手の操作のみで解錠可能とすることができる電気錠を提供することにある。
【課題を解決するための手段】
【０００５】
本発明は、前記課題を解決するためになされたものであり、請求項１に記載の発明は、錠ケースに進退可能に設けられるラッチボルトと、このラッチボルトを突出させた状態で後退規制可能なストッパーと、取手の操作に基づき回動してラッチボルトを後退可能なラッチハブ板と、上方位置ではラッチボルトを規制したストッパーを規制解除不能とする一方、下方位置では前記ラッチハブ板により回動してストッパーを規制解除方向へ回動させる解錠部材とを備えることを特徴とする電気錠である。
【０００６】
請求項２に記載の発明は、錠ケースに進退可能に設けられるラッチボルトと、錠ケースに枢支されてラッチボルトを突出させた状態で後退不能に係止するよう付勢されるストッパーと、取手の操作に基づき回動してラッチボルトを後退可能なラッチハブ板と、支軸まわりに回動可能で、その支軸が錠ケースに対して上下動可能に保持された解錠部材と、前記支軸を上方位置または下方位置に位置決めする切替部材とを備え、前記切替部材により前記支軸が上方位置に配置された状態では、ラッチボルトを規制したストッパーを規制解除不能とする一方、前記切替部材により前記支軸が下方位置に配置された状態では、取手の操作により回動する前記ラッチハブ板によって前記解錠部材が回動して、前記ストッパーを付勢力に対抗して回動させることを特徴とする電気錠である。
【０００７】
請求項３に記載の発明は、前記切替部材は、錠ケースに枢支されており、切替部材の回動が規制されることで前記支軸の位置決めがなされることを特徴とする請求項２に記載の電気錠である。
【０００８】
請求項４に記載の発明は、前記切替部材は、錠ケースに取り付けられるカバーに形成された穴に差し込まれることで回動が規制されることを特徴とする請求項３に記載の電気錠である。
【０００９】
さらに、請求項５に記載の発明は、ソレノイドにより枢軸まわりに回動し、その枢軸が錠ケースに対して上下動可能に保持されたテコ板と、このテコ板と前記ストッパーとを連結する第一リンク材と、前記枢軸を上方位置または下方位置に位置決めする切替機構とをさらに備え、前記切替機構により前記枢軸が上方位置に配置された状態では、ソレノイドの作動により前記テコ板が前記第一リンク材を介して前記ストッパーを付勢力に対抗して回動させてラッチボルトの後退を可能とする一方、前記切替機構により前記枢軸が下方位置に配置された状態では、前記テコ板が前記ストッパーを付勢力に対抗して回動させてラッチボルトの後退を可能とし、ソレノイドの作動により前記ストッパーが前記ラッチボルトの後退を規制することを特徴とする請求項１から請求項４までのいずれかに記載の電気錠である。
【発明の効果】
【００１０】
本発明の電気錠によれば、施錠状態において電気的にまたは手動で解錠することなく取手の操作のみで解錠可能とすることができる。
【発明を実施するための最良の形態】
【００１１】
以下、本発明の電気錠について、図面に基づき更に詳細に説明する。
ここでは、本発明の電気錠が例えばビルの通用口に適用される場合について説明する。
なお、以下の説明においては、扉が閉鎖した状態において室内外方向を前後方向とし、扉の幅方向を左右方向とする。
【００１２】
図１および図２は、本発明の電気錠の一実施例を示す図であり、図１は本実施例の電気錠の扉への取付状態を室外側から見た斜視図であり、図２は本実施例の電気錠の縦断面図であり、通電時解錠タイプにセットされ施錠された状態を示す図である。なお、図２では、第二切替機構が取り外されている。
また、図３は、図２の主要部を示す図であり、施錠機構などを示している。
さらに、図４は、本実施例の電気錠を戸先側から見た図であり、（ａ）はフロント板が取り外され、フロント裏板が露出した状態を示しており、（ｂ）はさらにカバーが取り外された状態を示している。
【００１３】
本実施例の電気錠は、後述するソレノイドに設けられたプランジャを進退させることで、施解錠を行うことができる。
そして、本実施例の電気錠は、通電時解錠タイプ（ソレノイドに通電している間は解錠状態）、または通電時施錠タイプ（ソレノイドに通電している間は施錠状態）のいずれかのタイプに切り替え可能な構成とされる。
【００１４】
また、本実施例の電気錠１は、通電時解錠タイプにセットされ施錠された状態、または通電時施錠タイプにセットされ施錠された状態において、ソレノイドに通電したり、ソレノイドを非通電とすることなく、取手の操作のみで解錠可能ないわゆるアンチパニック機能を有しており、このアンチパニック機能を働かせるか否かを切り替えることが可能とされる。
【００１５】
以下においては、まず、本実施例の電気錠１が、通電時解錠タイプまたは通電時施錠タイプに切り替え可能な構成について説明する。
最初に、本実施例の電気錠１が、図２に示すように、通電時解錠タイプにセットされ、施錠された状態について説明する。
【００１６】
本実施例の電気錠１は、扉２の戸先側端部に内蔵される錠ケース５と、この錠ケース５に設けられ、錠ケース５の戸先側端面１３から出没可能なラッチボルト６と、このラッチボルト６を取手４の操作に応じて錠ケース５の戸先側端面１３において出没させるラッチ後退操作機構７と、ラッチボルト６を所定の突出位置に規制する施錠機構８と、この施錠機構８にリンク機構９を介して接続されるソレノイド１０とを主要部に備える。
また、本実施例の電気錠１は、通電時解錠タイプまたは通電時施錠タイプのいずれかに切り替えるための第一切替機構１１も備える。
【００１７】
本実施例の電気錠１が取り付けられる扉２は、開き戸形式とされ、例えば室外側へ開く外開き扉とされる。
具体的には、扉２は、扉枠（不図示）の一側端部に、ヒンジを介して回動可能に取り付けられている。そして、扉２に設けられた取手４を操作することで、ラッチボルト６が進退して扉２の開閉を行うことができる。この取手４は、扉２の室外側と室内側の双方に設けられており、本実施例ではノブ型の取手とされる。
また、本実施例の電気錠１には、扉２の室外側にシリンダー装置１２が接続され、扉２の室内側にサムターン装置（不図示）が接続されている。
【００１８】
錠ケース５は、矩形箱状とされる。
本実施例の錠ケース５は、室外側（基端側）へ開口するケース本体５Ａと、その開口を閉じるようケース本体５Ａに重ね合わされてネジで固定される矩形板状の蓋５Ｂとを備える。
【００１９】
錠ケース５は、扉２の戸先側端部の上下方向略中央部に取り付けられる。
具体的には、図２に示すように、錠ケース５の左側壁面（戸先側端面）１３には、矩形板状のフロント裏板１４が重ね合わされる。そして、図２に示すように、錠ケース５が扉２に埋め込まれると共に、フロント裏板１４を介して扉２の戸先側端部に取付ネジ１５で錠ケース５が扉２に固定される。
そして、フロント板１６が扉２の戸先側端面に重ね合わされてネジ１７でフロント裏板１４に固定される。
【００２０】
フロント裏板１４およびフロント板１６には、後述するラッチ頭部２６が通される貫通穴１４ａ，１６ａがそれぞれ形成されていると共に、トリガー頭部１２９が通される貫通穴１４ｂ，１６ｂがそれぞれ形成されている。
また、図３および図４に示すように、錠ケース５の左側壁面１３には、後述する第一切替部材９５の操作部９８および第二切替部材２０４の操作部２１９が差し込まれる３つの穴２２１，１８，２２２が左右に離隔して形成されている。各穴２２１，１８，２２２は、上下方向に細長い穴とされる。
さらに、フロント裏板１４には、錠ケース５の穴２２１，１８，２２２に対応した位置に矩形状の開口部１９が形成されており、この開口部１９には、矩形板状のカバー２０がはめ込まれてネジ２１で錠ケース５に固定されている。
【００２１】
図４に示すように、カバー２０には、上側に矩形状の貫通穴２２３，２２，２２５が３つ、左右方向に離隔して形成されており、各貫通穴２２３，２２，２２５の下方に矩形状の貫通穴２２４，２３，２２６がそれぞれ形成されている。
つまり、カバー２０には、上下に離隔した一対の矩形状の貫通穴（２２３，２２４）（２２，２３）（２２５，２２６）が、左右に離隔して３つ形成されている。
カバー２０の各貫通穴２２，２３，２２３，２２４，２２５，２２６は、第一切替部材９５の操作部９８および第二切替部材２０４の操作部２１９に対応した大きさとされる。また、このカバー２０は、フロント裏板１４にフロント板１６が重ね合わされることで、外部から視認されることはない。
【００２２】
ラッチボルト６は、左右方向に移動可能に錠ケース５内に設けられる。
本実施例のラッチボルト６は、錠ケース５の戸先側端面１３から突出して扉枠（不図示）の戸先側縦枠２４に設けられた受２５の受穴２５ａに突入するラッチ頭部２６と、このラッチ頭部２６に設けられる丸棒状のラッチ軸部２７と、このラッチ軸部２７が挿通されるラッチガイド板２８とを有する。
【００２３】
ラッチ頭部２６は、矩形状のブロック体とされ、その左端部は、室内側（先端側）へ行くに従って右側へ傾斜する傾斜面６ａが形成され、中央部は室内側も直線部６ｂが形成されている。
また、ラッチ頭部２６の右端部には、右側へ開口する筒状部２９が一体に形成されており、この筒状部２９にラッチ軸部２７の左端部がはめ込まれてラッチ頭部２６にラッチ軸部２７が固定されている。
【００２４】
ラッチ軸部２７は、その軸方向が左右方向に沿うように配置されて、錠ケース５の室内側壁面３０に固定された支持部材３１に挿通されている。
支持部材３１は、板材を屈曲して形成された右側へ開口するコ字形材とされ、その中央片３２には左右方向に沿って貫通穴が形成されている。
そして、この支持部材３１の貫通穴にラッチ軸部２７が挿通されて、ラッチ軸部２７が支持部材３１に左右方向に移動可能に保持されている。
【００２５】
ラッチガイド板２８は、板材を屈曲して形成された上方へ開口する略コ字形材とされ、その左右端片３３，３４間を架け渡すようにラッチ軸部２７が挿通されて、ラッチガイド板２８はラッチ軸部２７に固定されている。
【００２６】
ラッチガイド板２８の左端片３３は、ラッチ頭部２６の筒状部２９に当接すると共に、その上端部が筒状部２９の周側面に沿って左側へ屈曲され、さらにラッチ頭部２６の右端面に沿って上方へ屈曲されて、略Ｌ字形の段部３５が形成されている。
また、ラッチガイド板２８の右端片３４には、先端側および基端側へ突出して矩形状の突部３６が一体に形成されている。
さらに、ラッチガイド板２８の中央片の左右方向略中央部には、下方へ突出して矩形状の係止部３７が形成されている。
そして、ラッチ軸部２７にラッチガイド板２８が取り付けられた状態において、ラッチ軸部２７の右端部３８は、ラッチガイド板２８の右端片３４から右側へ延出している。
このような構成のラッチ頭部２６、ラッチ軸部２７およびラッチガイド板２８は左右方向に一体に移動する。
【００２７】
また、ラッチ軸部２７にラッチガイド板２８が取り付けられた状態において、支持部材３１は、ラッチガイド板２８の左右端片３３，３４間に配置されている。
さらに、ラッチ軸部２７には、コイルバネ３９が挿通されており、バネ３９の一端部がラッチガイド板２８の左端片３３に当接する一方、他端部が支持部材３１の中央片３２に当接している。
これによりラッチボルト６は、戸先側へ付勢されており、ラッチ頭部２６はフロント裏板１４およびフロント板１６の穴１４ａ，１６ａを介して戸先側へ突出可能とされている。
そして、図２に示すように、閉扉され施錠された状態においては、ラッチ頭部２６は扉枠に設けられた受２５に突入している。
【００２８】
ラッチボルト６は、取手４の操作により、ラッチ後退操作機構７を介して後退させられる。
なお、取手４の先端部には、断面矩形状の軸部（不図示）が一体に設けられている。
【００２９】
ラッチ後退操作機構７は、室外側の取手４の操作をラッチボルト６に伝達する室外側ラッチ後退操作機構７Ａと、室内側の取手の操作をラッチボルト６に伝達する室内側ラッチ後退操作機構７Ｂとを有し、前後方向に隣接して一対に設けられている。
室外側ラッチ後退操作機構７Ａと室内側ラッチ後退操作機構７Ｂは同様の構成であり、以下においては室外側ラッチ後退操作機構７Ａについて説明する。
【００３０】
ラッチ後退操作機構７は、取手４の軸部がはめ込まれ、取手４の回転操作に伴い回動するラッチハブ４０と、このラッチハブ４０に回動可能に設けられるラッチハブ板４１と、このラッチハブ板４１に連結されるハブテコ４２と、このハブテコ４２に連結され、左右方向に移動可能に設けられるスライド部材４３とを有する。
【００３１】
ラッチハブ４０は、軸方向が前後方向に沿った円柱形状とされ、この先端部から左側へ行くに従って上下方向に拡幅する扇形板状の係合片４４とが一体に形成されている。
また、ラッチハブ４０には、その中央部に前後方向に沿って略矩形状の貫通穴４５が形成されている。
【００３２】
ラッチハブ板４１は、ラッチハブ４０が回動可能にはめ込まれる円形の貫通穴４６が形成された矩形板状の一片４７と、この一片４７から上方へ延出する矩形状の他片４８とが一体に設けられた板状体とされる。
ラッチハブ板４１の一片４７には、略Ｕ字状に切り欠かれて外方へ開口する凹部４９が形成されている。
また、ラッチハブ板４１の一片４７には、先端側へ突出して円柱状のピン５０が一体に設けられている。
さらに、ラッチハブ板４１の他片４８の上端部は、略三角形状に形成されている。
【００３３】
ラッチハブ４０とラッチハブ板４１は、ラッチハブ板４１の貫通穴４６にラッチハブ４０が回動可能にはめ込まれて、ラッチハブ４０の基端部が錠ケース５の室外側壁面（蓋５Ｂ）の穴（不図示）にはめ込まれて、錠ケース５に回動可能に保持されている。
図２に示すように、施錠され、取手４が回転操作されていない状態では、ラッチハブ板４１の他片４８は、支持部材３１とラッチガイド板２８の右端片３４との間に配置されている。
なお、この施錠状態では、図２に示すように、ラッチハブ板４１の他片４８とラッチガイド板２８の右端片３４との間には隙間Ｓが生じている。
また、ラッチハブ４０の係合片４４は、その上端部がラッチハブ板４１のピン５０に時計方向側から当接している。
【００３４】
ハブテコ４２は、板材を屈曲して形成されたコ字形材とされる。
ハブテコ４２の開放両端片の各中央部には、前後方向に沿って貫通穴４２ａが形成されている。このハブテコ４２の貫通穴４２ａに、錠ケース５に前後方向に沿って一体に設けられる枢軸５１がはめ込まれて、ハブテコ４２は枢軸５１まわりに回動可能に錠ケース５に保持されている。
【００３５】
この枢軸５１には、ねじりバネ５２が挿通されており、バネ５２の一端部が錠ケース５に前後方向に沿って固定された柱５３に当接する一方、他端部がハブテコ４２の中央片に当接している。これにより、ハブテコ４２は、枢軸５１まわりに時計方向に付勢されている。
【００３６】
ハブテコ４２には、その開放両端片の端部同士を架け渡すように前後方向に沿ってピン５４が一体に設けられている。ハブテコ４２が錠ケース５に取り付けられた状態において、ピン５４は、ラッチハブ板４１の凹部４９に差し込まれている。
また、ハブテコ４２の開放両端片には、下方へ突出して板状の接続片５５がそれぞれ形成されている。
【００３７】
スライド部材４３は、板材を屈曲して形成された上方へ開口するコ字形材とされる。
スライド部材４３は、錠ケース５の底壁に左右方向に移動可能に載せ置かれている。
【００３８】
スライド部材４３の室内側端片５６は、室外側端片５７より右側へ延出している。
この室内側端片５６の右端部には、上下方向に細長い貫通穴５８が形成されている。
スライド部材４３は、その室内側端片５６の右端部が、ハブテコ４２の接続片５５，５５間に差し込まれて、スライド部材４３の長穴５８を通るように、ハブテコ４２の接続片５５，５５間にピン５９が前後方向に沿って差し込まれ、スライド部材４３がハブテコ４２に連結されている。
【００３９】
また、スライド部材４３の室外側端片５７には、先端側へ突出してピン６０が一体に設けられている。そして、図２に示す状態では、ラッチハブ４０の係合片４４の下端部が、スライド部材４３のピン６０に、反時計方向側から当接している。
【００４０】
施錠機構８は、錠ケース５に前後方向に沿って設けられる枢軸６１を共用して回動可能に保持される第一ストッパー６２と第二ストッパー６３とを有する。
【００４１】
第一ストッパー６２は、施錠状態においてラッチボルト６の段部３５に当接する矩形状の一片６４と、この一片６４の右端部から上方へ延出する他片６５とを有する略Ｌ字形の板状体とされる。第一ストッパー６２の一片６４には先端側へ突出してピン６６が一体に設けられている。第一ストッパー６２は、枢軸６１がはめ込まれ、枢軸６１まわりに回動可能に錠ケース５に保持されている。
【００４２】
第二ストッパー６３は、略矩形状の板状体とされ、具体的には、施錠状態において、左端部が長方形状とされ、中央部が上方へ突出しており、右端部が右側へ行くに従って幅狭となるよう形成されている。
第二ストッパー６３の中央部には、上方へ開口する略コ字形の凹部６７が形成されている。また、凹部６７の右側端縁６７ａは、上方へ行くに従って右側へ傾斜している。
【００４３】
第二ストッパー６３の左端部には、基端側へ突出して第一ピン６８が一体に設けられている。
また、第二ストッパー６３の中央部には、先端側へ突出して第二ピン６９および第三ピン７０が一体に設けられている。
さらに、第二ストッパー６３の右端部には、先端側へ突出して第四ピン７１が一体に設けられている。
また、第二ストッパー６３の中央部より若干右側には、前後方向に突出して第五ピン２２８が一体に設けられている（図１８参照）。つまり、第二ストッパー６３には、先端側および基端側へ同軸上に突出して第五ピン２２８が設けられている。
【００４４】
第二ストッパー６３は、第一ストッパー６２の基端側に配置されて、その左右方向中央部に枢軸６１がはめ込まれて、枢軸６１まわりに回動可能に錠ケース５に保持されている。
【００４５】
枢軸６１には、２つのねじりバネ７２，７３が通されており、一方のねじりバネ７２は、その一端部が第一ストッパー６２のピン６６に当接し、他端部が第二ストッパー６３の第二ピン６９に当接している。
これにより第一ストッパー６２は、枢軸６１まわりに反時計方向へ付勢されている。
【００４６】
また、他方のねじりバネ７３は、その一端部が第二ストッパー６３の第一ピン６８に当接し、他端部が錠ケース５に前後方向に沿って固定された柱７４に当接している。
これにより、第二ストッパー６３は、枢軸６１まわりに反時計方向へ付勢されている。
【００４７】
そして、図２に示す施錠状態において、第一ストッパー６２は、ねじりバネ７２の付勢力により一片６４の左端部がラッチボルト６の段部３５に当接してラッチボルト６の後退を阻止している。
この際、第一ストッパー６２の他片６５は第二ストッパー６３の第二ピン６９に反時計方向側から当接または近接している。
【００４８】
また、第二ストッパー６３は、図２に示す施錠状態において、ねじりバネ７３の付勢力により枢軸６１まわりに反時計方向側へ回転してその左端部がラッチボルト６の段部３５に当接または近接している。
そして、図２に示す状態では、第二ストッパー６３の左端部は、第一ストッパー６２の一片６４の左端部より若干右側に配置されて段部３５に近接している。
【００４９】
リンク機構９は、第二ストッパー６３に連結される第一リンク材７６と、この第一リンク材７６に連結されると共に、ソレノイド１０に設けられたプランジャ８８に連結されるテコ板７７とを有する。
【００５０】
第一リンク材７６は、略長方形状の板状体とされる。
第一リンク材７６は、その上端部に、長手方向に沿って長穴７８が貫通して形成されていると共に、下端部に円形の貫通穴７９が形成されている。
第一リンク材７６は、その下端部の貫通穴７９に第二ストッパー６３の第一ピン６８が回動可能にはめ込まれて、第二ストッパー６３に連結されている。
【００５１】
テコ板７７は、略長方形の板状の一片８０と、この一片８０の長手方向中途から延出する他片８１とを有する略Ｔ字形の板状体とされる。
テコ板７７の一片８０の上端部には、長手方向に沿って細長い貫通穴８２が形成されている。
また、テコ板７７の一片８０の中央部には、前後方向に突出してピン８３が一体に設けられている。
つまり、テコ板７７の一片８０の中央部には、先端側および基端側へ同軸上に突出してピン８３が設けられている。
【００５２】
さらに、テコ板７７の一片８０の下端部には、基端側へ突出して円柱状の係止ピン８４が一体に設けられている。また、テコ板７７の他片８１には、基端側へ突出してピン８５が一体に設けられている。
【００５３】
テコ板７７は、その一片８０の中央部のピン８３の先端側（枢軸）が、図３に示すように、錠ケース５に設けられた取付部材８６の長穴８７に上下動可能に、かつ回転可能にはめ込まれている。
なお、取付部材８６は、略矩形状の板状体とされ、錠ケース５の室内側壁面３０と平行に離隔して配置されて錠ケース５に固定されており、上下方向に細長い貫通穴８７が形成されている。
また、テコ板７７は、その他片８１のピン８５が第一リンク材７６の長穴７８に回動可能に、かつ長穴７８に沿って移動可能にはめ込まれて、第一リンク材７６に連結されている。
【００５４】
さらに、テコ板７７は、その一片８０の上端部が、ソレノイド１０に設けられたプランジャ８８に連結されている。
【００５５】
プランジャ８８は、ソレノイド１０に対して左右方向に進退可能に連結されている。
ソレノイド１０は、リード線８９を介して遠隔の管理室などから通電制御できるようにされており、通電によりプランジャ８８を吸引駆動する。つまり、ソレノイド１０に通電された場合、プランジャ８８はソレノイド１０に引き込まれ、図２において、右側へ移動する。
【００５６】
プランジャ８８は、円柱形状とされ、その左端部には、左側へ開口するコ字状の溝が上下方向に沿って形成されている。
テコ板７７は、その一片８０の上端部がプランジャ８８の溝に差し込まれている。
そして、プランジャ８８およびテコ板７７を挟み込むように、ガイド部材９０が設けられる。
【００５７】
ガイド部材９０は、板材を屈曲して形成された右側へ開口するコ字形材とされ、その上端部が錠ケース５に前後方向に沿って設けられた枢軸９１に回動可能に保持されている。
また、ガイド部材９０の開放両端片は、中央片より下方へ延出しており、この開放両端片間にプランジャ８８の左端部およびテコ板７７の一片８０の上端部が配置されている。
そして、ガイド部材９０の開放両端片間に前後方向に沿ってピン９２が差し込まれる。
このピン９２は、プランジャ８８の左端部に前後方向に沿って差し込まれると共に、テコ板７７の長穴８２にも挿通されている。
【００５８】
枢軸９１には、ねじりバネ９３が挿通されており、バネ９３の一端部が錠ケース５の上壁に固定され、他端部がガイド部材９０の中央片に当接している。
これにより、ガイド部材９０は、枢軸９１まわりに時計方向に付勢されている。
【００５９】
ガイド部材９０が時計方向に付勢されていることで、図２に示すように、ソレノイド１０が非通電の状態では、ガイド部材９０はプランジャ８８を左側へ引き出している。つまり、プランジャ８８は、ソレノイド１０から進出している。
なお、ガイド部材９０に取り付けられたバネ９３は、第二ストッパー６３に取り付けられたバネ７３より付勢力が強い。
【００６０】
第一切替機構１１は、テコ板７７に連結される第二リンク材９４と、この第二リンク材９４に連結される第一切替部材９５とを備える。
【００６１】
第二リンク材９４は、略Ｌ字形の板状体とされ、その上端部には、基端側へ突出してピン９６が一体に設けられている。また、第二リンク材９４の下端部には、前後方向に沿って貫通穴９７が形成されている。
第二リンク材９４は、その貫通穴９７がテコ板７７の一片８０のピン８３の基端側に回動可能にはめ込まれてテコ板７７に連結されている。
【００６２】
第一切替部材９５は、略矩形状の板状体とされ、その左端部は、左側へ行くに従って幅狭に形成されており、頂部には矩形状の操作部９８が形成されている。
第一切替部材９５の右端部には、前後方向に沿って貫通穴９９が形成されている。
また、第一切替部材９５の中央部には、前後方向に沿って貫通穴１００が形成されている。
【００６３】
第一切替部材９５は、その中央部の貫通穴１００に、錠ケース５に前後方向に沿って設けられた枢軸１０１が回動可能にはめ込まれて錠ケース５に保持されている。
また、第一切替部材９５の右端部の貫通穴９９に、第二リンク材９４のピン９６が回動可能にはめ込まれて、第二リンク材９４に連結されている。
【００６４】
第一切替部材９５の操作部９８は、錠ケース５の左側壁面１３に形成された上下方向に細長い穴１８に差し込まれている。
そして、フロント裏板１４の開口部１９にカバー２０がはめ込まれて、錠ケース５の左側壁面１３にネジ２１で固定される。
この際、図２に示すように、第一切替部材９５の操作部９８がカバー２０の下側の穴２３に差し込まれて回動不能に位置決めされることで、本実施例の電気錠１は通電時解錠タイプにセットされる。
【００６５】
このように、第一切替部材９５の操作部９８がカバー２０の下側の穴２３に差し込まれ、通電時解錠タイプにセットされた場合、図２に示すように、第一切替部材９５の右端部に接続された第二リンク材９４は、上方位置に配置される。
これに伴い、第二リンク材９４に連結されたテコ板７７も、上方位置に配置される。
【００６６】
そして、ソレノイド１０が通電されていない状態では、上述したように、プランジャ８８は、ガイド部材９０の付勢力により、ソレノイド１０から左側へ進出した状態とされ、テコ板７７の一片８０の上端部は、ピン８３まわりに左側（反時計方向側）へ配置されている。
【００６７】
また、この状態では、テコ板７７のピン８５は第一リンク材７６の長穴７８の上方位置に配置されている。
さらに、テコ板７７の係止ピン８４は、第二ストッパー６３の凹部６７の上方に配置されている。
そして、第一ストッパー６２は、バネ７２の付勢力により、その一片６４の左端部がラッチボルト６の段部３５に当接し、ラッチボルト６の後退を阻止して施錠状態としている。また、第二ストッパー６３もバネ７３の付勢力により揺動されて、その左端部は段部３５に近接している。
【００６８】
ところで、本実施例の電気錠は、手動で解錠するための手動解錠手段１０２、開扉時における錠ケース５の戸先側端面１３からのラッチ頭部２６の突出量を制限するラッチ突出量制限部材１０３、および扉２の開閉に伴い錠ケース５の戸先側端面１３から出没し、ラッチ突出量制限部材１０３のセット状態を切り替えるトリガー１０４をさらに有している。
【００６９】
手動解錠手段１０２は、シリンダー装置１２のキーまたはサムターン装置のツマミの回転操作により回動するハブ１０５と、このハブ１０５の回動に連動して回動する従動部材１０６と、従動部材１０６を一時的に位置決めする保持レバー１０７とを備える。
【００７０】
ハブ１０５は、円筒形状とされ、その軸方向中央部には、径方向に突出してツバ部１０８が形成されている。
このツバ部１０８の一部には、歯１０９が形成されており、本実施例では、約半周部分に歯１０９が形成されている。
なお、ハブ１０５の内穴１０５ａの径方向両端部は、径方向内側へ三角形状に突出している。
【００７１】
ハブ１０５は、錠ケース５に固定された取付座１１０に回動可能に保持されている。
取付座１１０は、板材を屈曲して形成された下方へ開口する略コ字形材とされ、その室内側端片にハブ１０５の外径に対応した円形の貫通穴が形成されており、ハブ１０５の先端部が回動可能に差し込まれている。
また、取付座１１０の室外側端片には、略半円形の切欠きが形成されており、ハブ１０５の基端部外周面に当接している。
このように、取付座１１０に回動可能に保持されたハブ１０５の内穴１０５ａに室外側からシリンダー装置１２の軸部（不図示）がはめ込まれ、室内側からサムターン装置の軸部（不図示）がはめ込まれ、キーまたはツマミの回転操作に伴ってハブ１０５が回動する。
【００７２】
従動部材１０６は、一部にハブ１０５の歯１０９と噛み合う歯１１１が形成された板状体とされる。
従動部材１０６は、ハブ１０５の下方に配置されて、錠ケース５に前後方向に沿って設けられた枢軸１１２に回動可能に保持されている。従動部材１０６が枢軸１１２に取り付けられた状態では、その歯１１１がハブ１０５の歯１０９と噛み合わされている。
【００７３】
枢軸１１２には、ねじりバネ１１３が挿通されており、その一端部が錠ケース５の室内側壁面３０に前後方向に沿って立設された柱１１４に当接する一方、他端部が従動部材１０６に一体に設けられた先端側へ突出するピン１１５に当接している。
これにより、従動部材１０６は、枢軸１１２まわりに時計方向に付勢されていると共に、前記柱１１４に当接することで、一定以上の回動が阻止されている。
【００７４】
従動部材１０６が柱１１４に当接して位置決めされた状態において、従動部材１０６の下端部は、左右方向に沿う端縁１１６の左側が円弧状に形成されており、端縁１１６の右側には下方へ突出して矩形状の突部１１７が形成されており、この突部１１７に連続して円弧状部１１８が形成されている。
【００７５】
保持レバー１０７は、板材を屈曲して形成された略Ｌ字形材とされ、略矩形板状の一片１１９と、この一片１１９の左端部から基端側へ直角に屈曲された他片１２０とから構成される。
保持レバー１０７の他片１２０には、従動部材１０６の突部１１７が差し込み可能な貫通穴１２１が形成されている（図９）。
保持レバー１０７は、その一片１１９の上端部が、錠ケース５に前後方向に沿って設けられる枢軸１２２に回動可能に保持されている。
【００７６】
この枢軸１２２には、ねじりバネ１２３が通されており、その一端部が錠ケース５の右側壁面に当接する一方、他端部が保持レバー１０７の他片１２０に当接している。
これにより、保持レバー１０７は、枢軸１２２まわりに時計方向に付勢されている。
【００７７】
図２に示すように、施錠され、シリンダー装置１２のキー操作またはサムターン装置のツマミによる操作がなされていない状態では、保持レバー１０７の他片１２０は、従動部材１０６の円弧状部１１８に当接している。
また、保持レバー１０７の他片１２０は、従動部材１０６の円弧状部１１８に当接する位置から右下方へ屈曲された後、さらに左下方へ屈曲されて延出しており、他片１２０の下端部は、ラッチ軸部２７の右側へ配置されている。
【００７８】
ラッチ突出量制限部材１０３は、板材を屈曲して形成された下方へ開口するコ字形材とされる。
ラッチ突出量制限部材１０３の室内側端片１２４は、室外側端片より左側へ長方形状に延出しており、その左端部は、基端側へ直角に屈曲されている。
具体的には、この屈曲部１２５は、下方へ行くに従って右側へ傾斜するよう形成されている。
【００７９】
ラッチ突出量制限部材１０３は、その開放両端片が錠ケース５に前後方向に沿って設けられた枢軸１２６に回動可能に保持されている。
枢軸１２６には、ねじりバネ１２７が挿通されており、その一端部が、錠ケース５に前後方向に沿って立設された柱１２８に当接する一方、他端部がラッチ突出量制限部材１０３の中央片に当接している。
これにより、ラッチ突出量制限部材１０３は、枢軸１２６まわりに時計方向に付勢されている。
【００８０】
図２に示す施錠状態においては、ラッチ突出量制限部材１０３は、柱１２８に当接して一定以上の回動が規制されて位置決めされており、その上方にラッチガイド板２８の係止部３７が配置されている。
【００８１】
トリガー１０４は、錠ケース５の戸先側端面１３から突出可能なトリガー頭部１２９と、このトリガー頭部１２９に取り付けられる丸棒状のトリガー軸部１３０と、トリガー頭部１２９およびトリガー軸部１３０と共に移動し、ラッチ突出量制限部材１０３を揺動させる案内部材１３１とを備える。
【００８２】
トリガー頭部１２９は、矩形状のブロック体とされ、その左側端部は、室内側へ行くに従って右側へ傾斜する傾斜面に形成されている。
トリガー頭部１２９の右端部には、右側へ開口する筒状部が一体に形成されており、この筒状部にトリガー軸部１３０の左端部がはめ込まれてトリガー頭部１２９に固定されている。
【００８３】
トリガー軸部１３０は、その軸方向が左右方向に沿うように配置されて、錠ケース５の室内側壁面３０に固定された第二支持部材１３２に挿通されている。
第二支持部材１３２は、板材を屈曲して形成された右側へ開口するコ字形材とされ、その中央片には左右方向に沿って貫通穴が形成されている。
そして、この第二支持部材１３２の貫通穴にトリガー軸部１３０が挿通されて、トリガー軸部１３０が第二支持部材１３２に左右方向に移動可能に保持されている。
【００８４】
案内部材１３１は、板材を屈曲して形成された先端側へ開口する略コ字形材とされる。
案内部材１３１の中央片１３３は、上方へ矩形状に延出しており、その右端部が先端側へ直角に屈曲されて突出片１３４が一体に形成されている。
【００８５】
そして、トリガー軸部１３０が、案内部材１３１の開放両端片間を架け渡すように挿通される。
この際、案内部材１３１の左端片１３５がトリガー頭部１２９の右端部に当接されて、トリガー頭部１２９とトリガー軸部１３０に案内部材１３１が固定されており、トリガー頭部１２９、トリガー軸部１３０および案内部材１３１は、左右方向に一体に移動する。
なお、案内部材１３１の中央片１３３には、矩形状の開口部１３６が形成されており、この開口部１３６に第二支持部材１３２が配置されている。
【００８６】
また、トリガー軸部１３０には、コイルバネ１３７が挿通されており、バネ１３７の一端部が案内部材１３１の左端片１３５に当接し、他端部が第二支持部材１３２に当接している。
これによりトリガー１０４は左側へ付勢されている。
【００８７】
図２に示すように、閉扉された状態では、トリガー頭部１２９は、戸先側縦枠２４に取り付けた受２５に当接して後退した状態とされ、案内部材１３１の中央片１３３も右側位置に配置されている。
そして、この状態では、ラッチ突出量制限部材１０３は、バネ１２７の付勢力により時計方向に回動して柱１２８に当接し、略水平状態で位置決めされている。
【００８８】
次に、通電時解錠タイプにセットされ施錠された図２の状態から、解錠して開扉する動作について説明する。
本実施例の電気錠は、施錠状態から解錠する場合、ソレノイド１０に通電して解錠する方法と、シリンダー装置１２のキーまたはサムターン装置のツマミを回転操作して手動で解錠する方法とがあり、以下においては、まず、ソレノイド１０に通電して解錠する場合について説明する。
【００８９】
図５は、図２の状態からソレノイドに通電され、解錠された状態を示す図である。
【００９０】
図２の状態において、ソレノイド１０に通電して作動させると、プランジャ８８が吸引され、ガイド部材９０による付勢力に対抗してプランジャ８８は右側へ移動する。
これにより、テコ板７７は、ピン８３まわりに時計方向に回動して、一片８０の上端部が右側へ移動する。
テコ板７７が時計方向に回動することで、テコ板７７の他片８１が上方へ移動し、他片８１に連結された第一リンク材７６が上方へ引き上げられる。
第一リンク材７６が上方へ引き上げられることで、第一リンク材７６の下端部に連結された第二ストッパー６３がバネ７３の付勢力に対抗して枢軸６１まわりに時計方向に回動する。
【００９１】
そして、第二ストッパー６３が時計方向に回動することで、第二ストッパー６３の第二ピン６９が第一ストッパー６２の他片６５を押圧し、第一ストッパー６２は枢軸６１まわりにバネ７２の付勢力に対抗して時計方向に回動する。これにより、第一ストッパー６２の一片６４の左端部が上方へ移動し、第一ストッパー６２の一片６４によるラッチボルト６の段部３５への係止が解除され、図５に示すように、解錠状態となる。
【００９２】
図６は、図５の状態から取手を回転操作した状態を示す図である。
【００９３】
図５に示す解錠状態から開扉する場合、図６に示すように、取手４を回転操作してラッチボルト６を後退させる。
取手４を時計方向に回転操作した場合、取手４の軸部がはめ込まれたラッチハブ４０が時計方向に回動し、ラッチハブ４０の係合片４４の上端部がラッチハブ板４１のピン５０を時計方向に押し込む。
これにより、ラッチハブ板４１も時計方向に回動し、ラッチハブ板４１の他片４８がラッチガイド板２８の突部３６に当接し、ラッチガイド板２８を右側へ押し込む。
【００９４】
ラッチガイド板２８が右側へ押し込まれることで、ラッチ軸部２７およびラッチ頭部２６もラッチガイド板２８と一体に、バネ３９の付勢力に対抗して右側へ移動する。
これにより、図６に示すように、ラッチ頭部２６が後退して受２５の受穴２５ａから抜け出し、錠ケース５内に収没される。この際、ラッチ頭部２６は、案内部材１３１の中央片１３３に当接している。
【００９５】
そして、ラッチ頭部２６を収没した図６の状態で取手４を介して扉２を開く方向に引くことで、開扉することができる。
なお、取手４を回転操作することで、ハブテコ４２は、ピン５４を介して反時計方向に回動し、これに伴いスライド部材４３が右側へ移動している。また、ラッチ軸部２７の右端部３８は、保持レバー１０７の他片１２０に当接して、保持レバー１０７を枢軸１２２まわりに反時計方向に回動させている。
【００９６】
ところで、取手４を時計方向に回転操作する場合について説明したが、図５の状態から取手４を反時計方向に回転操作した場合もラッチボルト６を後退させることができる。取手４を反時計方向に回転操作した場合、ラッチハブ４０が反時計方向に回動し、これにより、ラッチハブ４０の係合片４４の下端部がスライド部材４３のピン６０を押圧して、スライド部材４３を右方向へ移動させる。
スライド部材４３が右方向へ移動することで、スライド部材４３とピン５９で連結されたハブテコ４２が枢軸５１まわりに反時計方向に回動する。
そして、ハブテコ４２のピン５４によりラッチハブ板４１が時計方向に押し込まれ、ラッチハブ板４１の他片４８がラッチガイド板２８の突部３６を押圧し、取手４を時計方向に回転操作した場合と同様にラッチボルト６を後退させる。
このように、本実施例では、取手４を時計方向または反時計方向のいずれに回転操作してもラッチボルト６を後退させることができる。
【００９７】
図７は、図６の状態から開扉した状態を示す図である。
図６の状態から開扉して取手４から手を放すと、ハブテコ４２はバネ５２の付勢力により時計方向に回動し、ハブテコ４２とピン５４で連結されたラッチハブ板４１が反時計方向に回動する。また、ラッチハブ板４１のピン５０が係合片４４に当接してラッチハブ４０も反時計方向に回動する。そして、ハブテコ４２の回動に伴ってスライド部材４３も左側へ移動し、図７に示すように各部材４０，４１，４２，４３は元の状態へ戻る。
【００９８】
そして、ラッチボルト６は、ラッチハブ板４１による押し込みが解除されることで、バネ３９の付勢力により左側へ移動する。
この際、トリガー１０４もバネ１３７の付勢力により左側へ移動する。つまり、トリガー頭部１２９、トリガー軸部１３０および案内部材１３１が左側へ一体に移動する。
トリガー１０４が左側へ移動することで、トリガー頭部１２９が錠ケース５の戸先側端面１３から突出すると共に、案内部材１３１の突出片１３４が、ラッチ突出量制限部材１０３の屈曲部１２５に当接する。
【００９９】
そして、案内部材１３１が、左側へ移動するのに伴って、その突出片１３４が屈曲部１２５を押圧し、屈曲部１２５が傾斜面とされていることでラッチ突出量制限部材１０３はバネ１２７の付勢力に対抗して枢軸１２６まわりに反時計方向に回動する。
これにより、ラッチ突出量制限部材１０３の右端部は上方へ移動し、ラッチガイド板２８の中央片に当接する。この際、ラッチガイド板２８の係止部３７は、ラッチ突出量制限部材１０３の上方へ到達してない。
そして、さらにラッチボルト６が左側へ移動すると、ラッチガイド板２８の係止部３７がラッチ突出量制限部材１０３に当接し、ラッチボルト６は、図７に示す進出位置で止められる。
つまり、ラッチ頭部２６は、錠ケース５の戸先側端面１３から完全に突出せずに斜面部６ａのみが突出した状態とされる。
【０１００】
次に、開扉された図７の状態から扉２を閉じると、図８に示すように、ラッチ頭部２６およびトリガー頭部１２９の各傾斜面が戸先側縦枠２４の受２５に当接して、ラッチボルト６およびトリガー１０４は錠ケース５側へ押し込まれ、ラッチ頭部２６およびトリガー頭部１２９は錠ケース５内に収容される。
そして、扉２が完全に閉じられると、再び図５の状態となる。つまり、ラッチ頭部２６に対応した位置に受２５の受穴２５ａが配置されていることで、ラッチボルト６はバネ３９の付勢力により左側へ進出し、ラッチ頭部２６が受穴２５ａに突入する。
また、扉２が完全に閉じられた状態では、トリガー頭部１２９が突出する位置には、受穴２５ａが形成されていないので、トリガー頭部１２９は受２５に当接して、錠ケース５内に収容された状態とされる。
【０１０１】
そして、閉扉された図５の状態からソレノイド１０への通電を停止することで図２に示す施錠状態することができる。
つまり、ソレノイド１０が非通電となると、プランジャ８８がガイド部材９０により左側へ押し出される。
これにより、テコ板７７がピン８３まわりに反時計方向に回動し、テコ板７７の他片８１が下方に移動する。これにより、テコ板７７による第一リンク材７６の引き上げが解除され、ひいては、第一ストッパー６２および第二ストッパー６３が、それぞれバネ７２，７３の付勢力により枢軸６１まわりに反時計方向に回動し、第一ストッパー６２の一片６４の左端部がラッチボルト６の段部３５に当接して、図２に示す施錠状態となる。
なお、第二ストッパー６３の回動に伴い、第一リンク材７６も下方へ移動する。
【０１０２】
次に、図２に示す施錠状態から手動で解錠する場合について説明する。
【０１０３】
図９は、図２の状態からシリンダー装置のキーを回転操作した状態を示す図である。
【０１０４】
施錠された図２の状態から、シリンダー装置１２にキーを差し込み回動させると、シリンダー装置１２の軸部がはめ込まれたハブ１０５が時計方向に回動する。
これにより、ハブ１０５と噛み合った従動部材１０６がバネ１１３の付勢力に対抗して枢軸１１２まわりに反時計方向に回動し、その端縁１１６が第二ストッパー６３の第四ピン７１を押し込む一方、円弧状部１１８が保持レバー１０７の他片１２０を押圧する。
【０１０５】
従動部材１０６の端縁１１６が第二ストッパー６３の第四ピン７１を押し込むことで、第二ストッパー６３が枢軸６１まわりに時計方向に回動すると共に、第二ストッパー６３の第二ピン６９により第一ストッパー６２も時計方向に回動する。
そして、第一ストッパー６２が時計方向に回動することで、ラッチボルト６の段部３５への当接が解除されて、図９に示すように解錠状態となる。
なお、第一リンク材７６もその長穴７８がピン８５に沿って移動し、上方へ移動している。
【０１０６】
また、従動部材１０６の円弧状部１１８が保持レバー１０７の他片１２０を押し込むことで、保持レバー１０７は枢軸１２２まわりに反時計方向に回動する。
そして、従動部材１０６が反時計方向に回動していくと、図９に示すように、従動部材１０６の突部１１７が保持レバー１０７の他片１２０の貫通穴１２１に差し込まれる。
従動部材１０６の突部１１７が保持レバー１０７の貫通穴１２１に差し込まれ、保持レバー１０７が時計方向に付勢されていることで、キーの回転操作終了後においても、従動部材１０６はバネ１１３の付勢力により時計方向に回動することがなく、位置決めされている。
このように、従動部材１０６が位置決めされていることで、第一ストッパー６２および第二ストッパー６３も時計方向に回動した状態で位置決めされ、解錠状態が維持される。
【０１０７】
次に、図９に示す解錠状態において、取手４を回転操作することで、前記と同様にラッチが後退させることができる。
図１０は、図９の状態から取手を回転操作させた状態を示す図である。
図９の状態から取手４を回転操作することで、ラッチ軸部２７が右側へ移動するが、この移動に伴い、ラッチ軸部２７の右端部３８は保持レバー１０７の他片１２０を右側へ押し込み、保持レバー１０７は反時計方向に回動する。
保持レバー１０７の回動に伴い従動部材１０６の突部１１７が保持レバー１０７の貫通穴１２１から抜け出て、従動部材１０６はバネ１１３の付勢力により時計方向に回動し、元の位置へ戻る。
【０１０８】
従動部材１０６が元の位置へ戻ることで、第二ストッパー６３への第四ピン７１を介しての押し込みが解除される。
これにより、第一ストッパー６２および第二ストッパー６３がバネ７２，７３の付勢力により、反時計方向に回動するが、ラッチボルト６が錠ケース５内に収没していることで、図１０に示すように、第一ストッパー６２および第二ストッパー６３の左端部はラッチ頭部２６の上面に当接する。
【０１０９】
そして、取手４を回転操作した図１０の状態から、開扉して取手４から手を放すと、上記と同様に、ラッチ突出量制限部材１０３がラッチガイド板２８の係止部３７に当接して、ラッチボルト６は一定以上突出しない。この状態では、第一ストッパー６２および第二ストッパー６３の左端部はラッチ頭部２６の上面に当接したままである。
そして、この状態から閉扉しようとすると、前記と同様に、ラッチボルト６およびトリガー１０４が戸先側縦枠２４に取り付けた受２５に当接して、錠ケース５内に収容され、完全に閉扉された状態においてラッチ頭部２６が受２５の受穴２５ａに突入する。これにより、第一ストッパー６２および第二ストッパー６３がバネ７２，７３の付勢力により反時計方向に回動して、第一ストッパー６２の左端部がラッチボルト６の段部３５に当接し、再び、図２に示す施錠状態となる。
なお、サムターン装置のツマミを操作しても、シリンダー装置のキー操作と同様に解錠することが可能である。
【０１１０】
次に、本実施例の電気錠において、通電時解錠タイプにセットされた図２の状態から通電時施錠タイプへセットする場合について説明する。
【０１１１】
図１１は、本実施例の電気錠が、通電時施錠即ち、非通電時解錠タイプにセットされた状態を示す図であり、閉扉され、ソレノイド１０へは通電されておらず解錠した状態を示している。
【０１１２】
通電時解錠タイプにセットされた図２の状態から通電時施錠タイプに切り替える場合、フロント板１６を取り外すと共にカバー２０を取り外す。
そして、第一切替部材９５を枢軸１０１まわりに回動させて、操作部９８を上方位置に配置することにより通電時施錠タイプに切り替えられる。
次に、操作部９８をカバー２０の上側の穴２２に差し込んだ状態でカバー２０を再び取り付け、フロント板１６も取り付ける。
このように、第一切替部材９５の操作部９８がカバー２０の上側の穴２２に差し込まれて、第一切替部材９５が回動不能に位置決めされることで通電時施錠タイプに切り替えられた状態に保持される。
【０１１３】
具体的には、第一切替部材９５の操作部９８がカバー２０の上側の穴２２に差し込まれ、通電時施錠タイプにセットされた場合、図１１に示すように、第一切替部材９５の右端部に接続された第二リンク材９４は、下方位置に配置される。
これに伴い、第二リンク材９４にピン８３で連結されたテコ板７７も下方位置に配置される。つまり、図２の状態からテコ板７７は、そのピン８３の先端側が長穴８７に沿って下方へ移動して下方位置に配置される。
【０１１４】
このように、テコ板７７が下方位置に配置された状態では、テコ板７７の係止ピン８４は第二ストッパー６３の凹部６７内に進入している。そして、ソレノイド１０が非通電状態でプランジャ８８が左側へ進出し、テコ板７７がピン８３まわりに左側（反時計方向側）に回動した状態では、テコ板７７の係止ピン８４は、第二ストッパー６３の凹部６７の右側端縁６７ａに当接して第二ストッパー６３を押圧している。
このテコ板７７の押し込みにより、第二ストッパー６３は、バネ７３の付勢力に対抗して枢軸６１まわりに時計方向に回動させられて位置決めされている。
【０１１５】
また、第二ストッパー６３の回動に伴い、第二ストッパー６３の第二ピン６９により第一ストッパー６２もバネ７２の付勢力に対抗して時計方向に回動し、その一片６４の左端部がラッチボルト６の段部３５から離脱して、図１１に示すように解錠状態とされている。
このように、通電時施錠タイプにセットされた本実施例の電気錠は、ソレノイド１０が非通電状態では、テコ板７７の係止ピン８４が第二ストッパー６３の凹部６７の右側端縁６７ａに当接し、押圧することで、解錠状態が維持される。
なお、第一リンク材７６は、第二ストッパー６３の回動に伴い上方位置に配置されている。
【０１１６】
図１２は、図１１の状態から施錠された状態を示す図である。
【０１１７】
通電時施錠タイプにセットされ解錠された図１１の状態から、ソレノイド１０に通電して作動させると施錠される。
具体的には、図１１の状態において、ソレノイド１０に通電されると、プランジャ８８が吸引され右側へ後退し、これに伴い、テコ板７７がピン８３まわりに時計方向に回動する。
テコ板７７が時計方向に回動することで、テコ板７７の係止ピン８４による第二ストッパー６３への押し込みが解除され、図１２に示すように、第二ストッパー６３がバネ７３の付勢力により枢軸６１まわりに反時計方向に回動する。
これにより、第一ストッパー６２もバネ７２の付勢力により枢軸６１まわりに反時計方向に回動し、その一片６４の左端部がラッチボルト６の段部３５に当接して、図１２に示すように施錠される。
【０１１８】
このように、図１１の状態からソレノイド１０に通電されることで、図１２に示すように施錠される。
逆に、図１２に示す施錠状態から解錠する場合、ソレノイド１０への通電を停止すればよい。
具体的には、図１２に示す状態からソレノイド１０への通電を停止することでプランジャ８８がガイド部材９０により左側へ進出し、テコ板７７がピン８３まわりに反時計方向に回動する。
これにより、テコ板７７の係止ピン８４が、第二ストッパー６３の凹部６７の右側端縁６７ａに当接して、第二ストッパー６３を押圧し、第二ストッパー６３を枢軸６１まわりに時計方向に回動させる。これに伴い、第二ストッパー６３の第二ピン６９により第一ストッパー６２も枢軸６１まわりに時計方向に回動して、その一片６４の左端部とラッチボルト６の段部３５との係合が解除され、図１１に示す解錠状態となる。
【０１１９】
図１３は、図１１の状態から取手を操作した状態を示す図である。
【０１２０】
図１１に示す解錠状態から開扉する場合、取手４を回転操作することで、図１３に示すように、ラッチハブ板４１がラッチガイド板２８の突部３６に当接してラッチボルト６を後退させる。そして、ラッチボルト６を後退させた図１３の状態から、取手４を介して扉２を開く方向に引くことで開扉される。
さらに、図１３の状態から開扉して取手４から手を放すと、通電時解錠タイプにセットした場合と同様に、トリガー１０４およびラッチ突出量制限部材１０３により、図１４に示すように、ラッチボルト６が完全に突出しない状態とされる。
【０１２１】
この図１４に示す状態から、閉扉しようとすると、図１５に示すように、ラッチボルト６およびトリガー１０４が扉枠に取り付けた受２５に当接することで錠ケース５内に収没され、完全に扉２を閉鎖した状態では、図１１に示すようにラッチ頭部２６が受２５の受穴２５ａに突入する。
そして、ソレノイド１０に通電することで、図１２に示すように施錠される。
【０１２２】
本実施例の電気錠は、通電時施錠タイプにセットされた場合においても、通電時解錠タイプにセットした場合と同様に、手動で解錠することが可能である。
図１６は、図１２の状態からシリンダー装置のキーを回転操作した状態を示す図である。
【０１２３】
図１２の状態から、シリンダー装置１２にキーを差し込み回転させると、シリンダー装置１２の軸部がはめ込まれたハブ１０５が時計方向に回動し、ハブ１０５と噛み合った従動部材１０６が反時計方向に回動して、従動部材１０６の下端部が第二ストッパー６３の第四ピン７１を押し込む。
これにより、第二ストッパー６３が時計方向に回動し、第一ストッパー６２も第二ストッパー６３の第二ピン６９により時計方向に回動する。
このように、第一ストッパー６２が時計方向に回動することで、ラッチボルト６の段部３５への当接が解除され解錠状態となる。
【０１２４】
また、図１６に示すように、従動部材１０６の突部１１７が保持レバー１０７の他片１２０の貫通穴１２１に差し込まれて、従動部材１０６が位置決めされることで、第一ストッパー６２および第二ストッパー６３も時計方向に回動した状態で位置決めされ、キーの回転操作終了後においても解錠状態が維持される。
【０１２５】
そして、図１６の状態から取手４を回転操作することで、通電時解錠タイプと同様に、図１７に示すようにラッチボルト６が後退し、開扉することができ、再び閉扉することで図１２に示す施錠状態となる。
【０１２６】
このように、本実施例の電気錠は、第一切替部材９５を操作するだけで、通電時解錠タイプまたは通電時施錠タイプに切り替えることができる。
しかもこの切り替えは、第一切替部材９５の操作部９８を指で上下動させるだけでよく、操作が簡単である。
また、本実施例の電気錠では、第一切替部材９５の操作部９８をカバー２０で位置決めして保持させるため、扉の開閉による振動などで切替状態が変化するおそれがない。つまり、カバー２０を取り外して操作部９８を操作しない限り、通電時解錠タイプまたは通電時施錠タイプにセットされた状態が維持される。
【０１２７】
さらに、本実施例では、通電時解錠タイプまたは通電時施錠タイプにセットされた場合でも、共通のリンク機構を介して施解錠が行われる。
つまり、部品数が少なくて済み、ひいては錠ケース内に広い空間を必要とせずコンパクト化が可能となる。
【０１２８】
なお、本実施例では、上述したように、施錠機構の第一ストッパー６２と第二ストッパー６３とは、常時は、ねじりバネ７２，７３の作用で一体的に反時計方向へ付勢される。
このような構成の本実施例の施錠機構では、たとえば、受２５内に異物などがあり、閉扉時におけるラッチ頭部２６の突出が十分でなく、ラッチボルト６の段部３５が第一ストッパー６２の左端部より左側へ進出せず、第一ストッパー６２が段部３５へ当接することがない事態が生じても、第一ストッパー６２よりも右側へ配置された第二ストッパー６３が第一ストッパー６２に対して独立して反時計方向に回動して、その左端部がラッチボルト６の段部３５に当接し、施錠される。
【０１２９】
また、本実施例の電気錠１には、完全な閉扉状態においてのみ、ソレノイド１０への通電が可能なように制御すると共に、遠隔の管理室などにおいて、扉２の開閉状態をも確認できるように、リードスイッチ１４０が設けられている（図５参照）。
リードスイッチ１４０は、錠ケース５の戸先側端面１３に近接した位置に設けられている。また、戸先側縦枠２４には、閉扉した状態で、リードスイッチ１４０と対向する位置にマグネット１４１が設けられている。本実施例では、戸先側縦枠２４に設けられた受２５の受カバー２５ｂ内にマグネット１４１が設けられている。
これにより、本実施例の電気錠１は、リードスイッチ１４０がマグネット１４１の作用によって動作し、リードスイッチ１４０とマグネット１４１が対向する状態、つまり完全に閉扉された状態でのみ、ソレノイド１０への通電が可能なように制御されると共に、その信号を遠隔の管理室などにリード線を介して送信することで、離れた場所で扉２の開閉状態を確認することが可能とされている。
【０１３０】
さらに、本実施例の電気錠１には、遠隔の管理室などにおいて、扉の施解錠状態を確認できるように、マイクロスイッチ１４３が設けられている（図５参照）。
本実施例では、第二ストッパー６３の近傍にマイクロスイッチ１４３が設けられており、第二ストッパー６３が枢軸６１まわりに回動することで、マイクロスイッチのオン・オフ状態が切り替えられる。
【０１３１】
具体的には、図２や図１２に示すように施錠された状態では、上述したように第二ストッパー６３が枢軸６１まわりに反時計方向に回動した位置に配置されており、第二ストッパー６３の第三ピン７０がマイクロスイッチ１４３のアクチュエータ１４４を押し込んでいる。
また、図５や図１１に示すように解錠された状態では、第二ストッパー６３が枢軸６１まわりに時計方向に回動した位置に配置されており、第三ピン７０はマイクロスイッチ１４３のアクチュエータ１４４を押し込んでいない。
このように、施錠状態または解錠状態によって、マイクロスイッチ１４３のオン・オフ状態が切り替り、このオン・オフ信号はリード線を介して遠隔の管理室などに送信される。
【０１３２】
なお、上記実施例においては、室外側の取手４を回転操作して開扉する場合について説明したが、室内側の取手を回転操作しても同様に開扉することが可能である。
つまり、解錠した状態において、室内側の取手４を回転操作することで、室内側ラッチ後退操作機構７Ｂによりラッチボルト６が進退する。
また、図２や図１２に示すように施錠された状態において、サムターン装置のツマミを回転操作することでも、手動で解錠することが可能である。
【０１３３】
上述したように、本実施例の電気錠１は、アンチパニック機能を働かせることが可能であり、このアンチパニック機能を働かせるか否かは、第二切替機構２００で切り替えられる。
以下においては、本実施例の電気錠１が、通電時解錠タイプにセットされ施錠された図２の状態において、第二切替機構２００が配置された状態について説明する。
【０１３４】
図１８は、図２の状態において第二切替機構が設けられ、アンチパニック機能が働く状態を示す図である。
また、図１９は、図１８の電気錠を戸先側から見た概略縦断面図であり、図２０は、概略横断面図である。
さらに、図２１は、図１８の主要部の斜視図である。
【０１３５】
本実施例では、室外側および室内側にそれぞれ第二切替機構２００が設けられている。
具体的には、前記リンク機構９および第一切替機構１１は、錠ケース５内の上部で前後方向略中央部に配置されており、第二切替機構２００は、リンク機構９および第一切替機構１１の室外側および室内側にそれぞれ配置される。
なお、室外側の第二切替機構２００Ａと、室内側の第二切替機構２００Ｂは同様の構成であるので、以下においては室外側の第二切替機構２００Ａについて説明する。
【０１３６】
図２２は、第二切替機構２００を示す図であり、（ａ）は正面図、（ｂ）は左側面図である。
【０１３７】
第二切替機構２００は、ラッチハブ板４１と当接してストッパー６２，６３を回動させる解錠部材２０２と、この解錠部材２０２が回動可能に連結される中間部材２０３と、この中間部材２０３に連結され、アンチパニック機能を働かせるか否かを切り替える第二切替部材２０４とを備える。
【０１３８】
解錠部材２０２は、板状体とされ、左端部２０５が略矩形状とされる一方、この左端部２０５に連続して右端部２０６は、その下端辺が右側へ行くに従って下方へ延出する傾斜面２０７に形成され、さらにこの傾斜面２０７に連続して右側へ行くに従って上方へ延出する円弧状部２０８が形成されている。なお、解錠部材２０２の右端部２０６は、左端部２０５より厚肉に形成されている。
【０１３９】
中間部材２０３は、略逆「く」の字形の板状体とされ、上下方向に沿う板状の一片と、この一片の上端部から上方へ行くに従って左側へ傾斜する他片とを有する。
中間部材２０３の長手方向略中央部には、先端側へ突出してピン２０９が一体に設けられている。
また、中間部材２０３の上端部には、基端側へ突出してピン２１０が一体に設けられている。さらに、中間部材２０３の下端部は、略半円形状に下方へ突出している。
そして、この中間部材２０３の下端部に解錠部材２０２が回動可能に連結される。
【０１４０】
本実施例では、中間部材２０３の室外側に、板状体の第一補助部材２１１が重ね合わされ、さらにこの第一補助部材２１１に板状体の第二補助部材２１２が重ね合わされて、中間部材２０３、第一補助部材２１１、および第二補助部材２１２が一体に固定されている。
この際、第一補助部材２１１の下端部は、中間部材２０３および第二補助部材２１２の各下端部より上方へ配置されており、中間部材２０３、第一補助部材２１１および第二補助部材２１２により下方へ開口するコ字状溝２１３が形成されている。
【０１４１】
解錠部材２０２は、中間部材２０３と第二補助部材２１２との間、つまり前記溝２１３内に配置され、前後方向に沿って差し込まれるピン（支軸）２１４により中間部材２０３に回動可能に連結されている。
本実施例では、解錠部材２０２は、その左右方向略中央部にピン２１４が差し込まれて中間部材２０３に回動可能に保持されている。
このように中間部材２０３に取り付けられた解錠部材２０２は、その左端部２０５が第一補助部材２１１に当接することで、ピン２１４まわりに時計方向へ一定以上回動することがない。
これにより初期状態では、図１８に示すように、解錠部材２０２は、その右端部２０６が若干下方へ傾斜した状態で中間部材２０３に保持されている。
【０１４２】
中間部材２０３は、その中央部のピン２０９が隔壁板２１５の長穴２１６に回動可能に、かつ、上下動可能にはめ込まれている。
隔壁板２１５は板状体とされ、リンク機構９および第一切替機構１１より室外側に、錠ケース５の室内側壁面３０と平行に配置されて錠ケース５に固定されている。
そして、この隔壁板２１５に、中間部材２０３のピン２０９がはめ込まれる上下方向に細長い貫通穴２１６が形成されている。
【０１４３】
第二切替部材２０４は、第一切替部材９５と同形状の板状体とされ、その中央部の貫通穴２１７に枢軸１０１が差し込まれて錠ケース５に回動可能に保持されている。
なお、室内側の第二切替機構２００の第二切替部材２０４も枢軸１０１に回動可能に保持されており、第一切替部材９５および各第二切替部材２０４，２０４は、枢軸１０１を共用している。
【０１４４】
そして、第二切替部材２０４は、その右端部の貫通穴２１８に中間部材２０３のピン２１０がはめ込まれて、中間部材２０３に回動可能に連結されている。
【０１４５】
第二切替部材２０４の操作部２１９は、錠ケース５の戸先側端面１３の穴２２２に差し込まれている。
そして、第二切替部材２０４の操作部２１９が、カバー２０の上下のいずれかの穴２２５，２２６に差し込まれることで、第一切替部材９５と同様に、回動不能に位置決めされる。
【０１４６】
本実施例では、第二切替部材２０４の操作部２１９がカバー２０の上側の穴２２５に差し込まれて位置決めされることでアンチパニック機能が働く状態となり、カバー２０の下側の穴２２６に差し込まれて位置決めされるとアンチパニック機能が働かない状態となる。
【０１４７】
具体的には、第二切替部材２０４の操作部２１９がカバー２０の上側の穴２２５に差し込まれて位置決めされた場合、第二切替部材２０４に連結された中間部材２０３および解錠部材２０２は、下方位置に配置される。
【０１４８】
このように下方位置に配置された解錠部材２０２は、図１８に示すように、その右端部２０６がラッチハブ板４１の上端部の右側に近接している。
また、解錠部材２０２の左端部２０５の直下に第二ストッパー６３の第五ピン２２８の基端側が配置されている。
【０１４９】
次に、図１８に示す施錠状態から、取手４を操作して開扉する動作について説明する。
図２３は、図１８の状態から取手を操作した状態を示す図である。
【０１５０】
図１８に示す状態から取手４を回転操作した場合、上述したようにラッチハブ４０が回動し、これに伴ってラッチハブ板４１が回動する。
取手４の操作に伴って回動するラッチハブ板４１は、その他片４８が、ラッチガイド板２８の突部３６に当接する前に、他片４８の上端部が解錠部材２０２の右端部２０６に当接して、解錠部材２０２を押圧する。
つまり、ラッチハブ板４１は、隙間Ｓを通過中に、その上端部が解錠部材２０２の右端部２０６に当接して、解錠部材２０２を押圧する。
【０１５１】
この際、ラッチハブ板４１の上端部の傾斜面が、解錠部材２０２の傾斜面２０７に当接することで、解錠部材２０２は、ラッチハブ板４１の押し込みにより、ピン２１４まわりに反時計方向に回動する。
これにより、解錠部材２０２の左端部２０５が第二ストッパー６３の第五ピン２２８の基端側に当接し、第二ストッパー６３を押圧し、この解錠部材２０２の押し込みにより、第二ストッパー６３はバネ７３の付勢力に対抗して枢軸６１まわりに時計方向に回動する。
【０１５２】
第二ストッパー６３が時計方向に回動することで、上述したように、第二ストッパー６３の第二ピン６９により第一ストッパー６２も枢軸６１まわりに時計方向へ回動し、第一ストッパー６２の一片６４の左端部が上方へ移動して、第一ストッパー６２によるラッチボルト６の段部３５への係止が解除され、図２３に示すように解錠状態となる。
なお、第二ストッパー６３の回動に伴って第一リンク材７６も上方へ移動している。
【０１５３】
図２４は、図２３の状態からさらに取手を操作した状態を示す図である。
【０１５４】
図２３の状態から取手４の操作に伴ってさらにラッチハブ板４１が回動すると、ラッチハブ板４１は、解錠部材２０２を押し込んでストッパー６２，６３を回動させた状態で、その他片４８がラッチガイド板２８の突部３６に当接してラッチガイド板２８を右側へ押し込む。
この際、解錠部材２０２がストッパー６２，６３を回動させて解錠状態となっていることで、ラッチボルト６は右側への移動が可能であり、ラッチハブ板４１の押し込みにより右側へ移動し、ラッチ頭部２６が受２５から抜け出て、図２４に示すようにラッチボルト６が錠ケース５内に収没される。
【０１５５】
図２４に示すように、ラッチハブ板４１により錠ケース５内にラッチボルト６が収没された状態では、解錠部材２０２は、ラッチハブ板４１による押し込みが解除されて自重によりピン２１４まわりに時計方向に回動して初期位置に戻っている。これにより、第五ピン２２８への押し込みも解除され、第一ストッパー６２および第二ストッパー６３は枢軸６１まわりに反時計方向に回動する。この際、ラッチボルト６が錠ケース５内に収没されていることで、第一ストッパー６２の一片６４の左端部および第二ストッパー６３の左端部は、ラッチ頭部２６の上面に当接する。
【０１５６】
そして、ラッチボルト６を収没した図２４の状態において、取手４を介して扉２を開く方向に引くことで開扉することができる。
この開扉した状態において取手４から手を放すと、ラッチボルト６はバネ３９の付勢力により左側へ移動するが、図２５に示すように、ラッチ突出量制限部材１０３とトリガー１０４によりラッチ頭部２６は前記と同様に一定以上突出しない状態とされる。
【０１５７】
また、取手４から手を放すと、ラッチハブ板４１は反時計方向に回動して再び解錠部材２０２に当接するが、この際、ラッチハブ板４１の傾斜面と解錠部材２０２の円弧状部２０８が当接することで、解錠部材２０２がピン２１４まわりに反時計方向に回動して一旦はね上がることで、図２５に示すようにラッチハブ板４１は元の位置へ戻る。
【０１５８】
そして、図２５の状態から扉２を閉じると、上記と同様に、ラッチボルト６およびトリガー１０４が戸先側縦枠２４に取り付けつけた受２５に当接することで、錠ケース５内に収没され、完全に閉扉した状態では、ラッチ頭部２６が受２５の受穴２５ａに突入する。
これにより、第一ストッパー６２および第二ストッパー６３がバネ７２，７３の付勢力により反時計方向に回動して、第一ストッパー６２の一片６４の左端部がラッチボルト６の段部３５に当接し、再び図１８の施錠状態となる。
【０１５９】
このように、本実施例の電気錠１は、第二切替機構２００によりアンチパニック機能を働かせることで、施錠状態においても、ソレノイド１０に通電したり、手動で解錠したりすることなく、取手４を操作するだけで、ストッパー６２，６３によるラッチボルト６の係止が解除され、かつ、ラッチボルト６を後退させて解錠と開扉をワンタッチ操作で行うことが可能となる。
【０１６０】
次に、第二切替部材２０４の操作部２１９が、カバー２０の下側の穴２２６に差し込まれて位置決めされた場合について説明する。
【０１６１】
図２６は、図１８の状態から第二切替機構によりアンチパニック機能が働かない状態とされた図である。
【０１６２】
図１８の状態から、第二切替部材２０４の操作部２１９が、第一切替部材９５の場合と同様にして、カバー２０の下側の穴２２６に差し込まれて位置決めされた場合、第二切替部材２０４に連結された中間部材２０３および解錠部材２０２は、上方位置に配置される。
このように、解錠部材２０２が上方位置に配置された状態では、解錠部材２０２は、ラッチハブ板４１の上方に配置されており、ラッチハブ板４１の軌道の外側へ配置されている。
【０１６３】
このような状態で、取手４の操作によりラッチハブ板４１が回動した場合、ラッチハブ板４１は、解錠部材２０２に当接することなくラッチガイド板２８の突部３６に当接する。
この場合、ストッパー６２，６３によるラッチボルト６の係止が解除されていないため、ラッチボルト６を後退させることができず、解錠も開扉も行えない。
【０１６４】
このように、第二切替部材２０４の操作部２１９をカバー２０の下側の穴２２６に差し込んで位置決めした状態では、アンチパニック機能が働かず施錠状態が維持される。
【０１６５】
なお、室内側も室外側と同様に、第二切替機構２００によりアンチパニック機能を働かせるか否かが切り替えられる。
【０１６６】
室内側の第二切替機構２００Ｂの第二切替部材２０４は、その操作部２１９が錠ケース５の戸先側端面１３の穴２２１に差し込まれている。
また、室内側の第二切替機構２００Ｂの中間部材２０３は、その中央部のピン２０９が取付部材８６に形成された長穴（不図示）に回動可能に、かつ、上下動可能にはめ込まれている。
【０１６７】
そして、第二切替部材２０４の操作部２１９が、カバー２０の上側の穴２２３に差し込まれて位置決めされることでアンチパニック機能が働く状態となり、下側の穴２２４に差し込まれて位置決めされるとアンチパニック機能が働かない状態となる。
【０１６８】
つまり、室内側の第二切替機構２００Ｂも室外側の第二切替機構２００Ａと同様に、第二切替部材２０４の操作部２１９がカバー２０の上側の穴２２３に差し込まれて位置決めされた場合、その解錠部材２０２が下方位置に配置される。このように解錠部材２０２が下方位置に配置され施錠された状態で、室内側の取手４を操作すると、室内側ラッチ後退操作機構７Ｂのラッチハブ板４１が解錠部材２０２に当接し、押圧する。これにより、解錠部材２０２が第二ストッパー６３の第五ピン２２８の先端側に当接して押圧して、第二ストッパー６３および第一ストッパー６２を回動させて解錠させる。そして、室外側と同様に、ラッチハブ板４１はラッチボルト６を後退させて開扉することが可能となる。
【０１６９】
本実施例では、室外側および室内側にそれぞれ第二切替機構２００を設けていることで、室内側だけをアンチパニック機能が働く状態としたり、室内側および室外側の両方でアンチパニック機能が働く状態としたりすることなどができ、適宜選択することが可能である。
【０１７０】
なお、電気錠１が、通電時解錠タイプにセットされた場合における第二切替機構２００の動作について説明したが、電気錠１が、通電時施錠タイプにセットされた場合においても、同様である。
つまり、第二切替部材２０４の操作部２１９が、カバー２０の上側の穴２２３，２２５に差し込まれて位置決めされた場合、施錠状態から取手４を操作することで、ラッチハブ板４１が解錠部材２０２を回動させて、第二ストッパー６３の第五ピン２２８を押し込むことでストッパー６２，６３が回動し解錠すると共に、ラッチガイド板２８を押し込み、ラッチボルト６を後退させて開扉が可能となる。
【０１７１】
また、第二切替部材２０４の操作部２１９が、カバー２０の下側の穴２２４，２２６に差し込まれて位置決めされた場合、取手４の操作に伴って回動するラッチハブ板４１は、解錠部材２０２に当接することなくラッチガイド板２８の突部３６に当接して、ラッチボルト６を後退させることができない。
【０１７２】
本発明の電気錠は、上記実施例の構成に限らず、適宜変更可能である。
たとえば、上記実施例では、施錠機構が第一ストッパーと第二ストッパーから構成されたが、一体となっていても構わない。
また、上記実施例では、単方向型のソレノイドを使用して通電時解錠タイプまたは通電時施錠タイプに切り替え可能な構成であったが、どちらか一方のタイプの電気錠に第二切替機構を設ける構成でもよいし、その他、双方向型のソレノイドを使用した通電時施錠解錠タイプに第二切替機構を設ける構成でもよく電気錠のタイプは限定されることはない。
さらに、本発明の電気錠は、外開き扉だけでなく内開き扉でも使用可能である。
また、取手はノブに限定されることなくレバーハンドルなどでもよい。
【図面の簡単な説明】
【０１７３】
【図１】本発明の電気錠の一実施例を示す図であり、扉への取付状態を室外側から見た斜視図である。
【図２】図１の電気錠の縦断面図であり、通電時解錠タイプにセットされ施錠された状態を示す図である。
【図３】図２の主要部を示す図である。
【図４】図１の電気錠を戸先側から見た図であり、（ａ）はフロント板が取り外され、フロント裏板が露出した状態を示しており、（ｂ）はさらにカバーが取り外された状態を示している。
【図５】図２の状態からソレノイドに通電され、解錠された状態を示す図である。
【図６】図５の状態から取手が回転操作された状態を示す図である。
【図７】図６の状態から開扉した状態を示す図である。
【図８】図７の状態から閉扉しようとしている状態を示す図である。
【図９】図２の状態から手動で解錠した状態を示す図である。
【図１０】図９の状態から取手を回転操作した状態を示す図である。
【図１１】図１の電気錠の縦断面図であり、通電時施錠タイプにセットされ解錠された状態を示す図である。
【図１２】図１１の状態から施錠された状態を示す図である。
【図１３】図１１の状態から取手を回転操作した状態を示す図である。
【図１４】図１３の状態から開扉した状態を示す図である。
【図１５】図１４の状態から閉扉しようとしている状態を示す図である。
【図１６】図１２の状態から手動で解錠した状態を示す図である。
【図１７】図１６の状態から取手を回転操作した状態を示す図である。
【図１８】図２の状態において第二切替機構が設けられ、アンチパニック機能が働く状態を示す図である。
【図１９】図１８の電気錠を戸先側から見た概略縦断面図である。
【図２０】図１８の電気錠の概略横断面図である。
【図２１】図１８の主要部の斜視図である。
【図２２】第二切替機構を示す図であり、（ａ）は正面図、（ｂ）は左側面図である。
【図２３】図１８の状態から取手を操作した状態を示す図である。
【図２４】図２３の状態からさらに取手を操作した状態を示す図である。
【図２５】図２４から開扉した状態を示す図である。
【図２６】図２の状態において第二切替機構が設けられ、アンチパニック機能が働かない状態を示す図である。
【符号の説明】
【０１７４】
１  電気錠
２  扉
４  取手
５  錠ケース
６  ラッチボルト
７  ラッチ後退操作機構
８  施錠機構
９  リンク機構
１０  ソレノイド
１１  第一切替機構
１２  シリンダー装置
２０  カバー
２２，２３  貫通穴
６１  枢軸
６２  第一ストッパー
６３  第二ストッパー
７６  第一リンク材
７７  テコ板
８３  ピン（枢軸）
８８  プランジャ
９４  第二リンク材
９５  第一切替部材
９８  操作部
１０５  ハブ
１０６  従動部材
１０７  保持レバー
２００  第二切替機構
２０２  解錠部材
２０４  第二切替部材
２１４  ピン（支軸）
【図１】
2008133656.tif 000003
【図２】
2008133656.tif 000004
【図３】
2008133656.tif 000005
【図４】
2008133656.tif 000006
【図５】
2008133656.tif 000007
【図６】
2008133656.tif 000008
【図７】
2008133656.tif 000009
【図８】
2008133656.tif 000010
【図９】
2008133656.tif 000011
【図１０】
2008133656.tif 000012
【図１１】
2008133656.tif 000013
【図１２】
2008133656.tif 000014
【図１３】
2008133656.tif 000015
【図１４】
2008133656.tif 000016
【図１５】
2008133656.tif 000017
【図１６】
2008133656.tif 000018
【図１７】
2008133656.tif 000019
【図１８】
2008133656.tif 000020
【図１９】
2008133656.tif 000021
【図２０】
2008133656.tif 000022
【図２１】
2008133656.tif 000023
【図２２】
2008133656.tif 000024
【図２３】
2008133656.tif 000025
【図２４】
2008133656.tif 000026
【図２５】
2008133656.tif 000027
【図２６】
2008133656.tif 000028